(57)【要約】【課題】簡単な構成で、暖房機から回収可能な熱量の大半を、床下空間に供給可能であり、住宅の居室を含む同階の部屋全体を、暖房可能な暖房システムを提供する。【解決手段】本発明の暖房システムは、居室に配置される開閉可能な仕切り材と、居室の外壁と仕切り材とで囲まれた仕切り空間に配置された暖房機と、仕切り空間の床に開閉可能に設けられ、開状態の際、仕切り空間の暖気を床下空間に送り出すための開閉部材と、を備える。【選択図】図２
2019002631.tif 000002
【特許請求の範囲】
【請求項１】
居室に配置される開閉可能な仕切り材と、
前記居室の外壁と前記仕切り材とで囲まれた仕切り空間に配置された暖房機と、
前記仕切り空間の床に開閉可能に設けられ、開状態の際、前記仕切り空間の暖気を床下空間に送り出すための開閉部材と、を備える、暖房システム。
【請求項２】
前記仕切り材は、前記居室の室温が第一の温度以下の場合、開状態になるように構成され、前記居室の前記室温が、前記第一の温度より高い第二の温度以上の場合、閉状態になるように構成され、
前記開閉部材は、前記仕切り空間の温度が、前記第二の温度より高い第三の温度になった場合、開状態になるように構成されている、請求項１に記載の暖房システム。
ステム。
【請求項３】
前記仕切り空間は、前記居室の角部に配置されている、請求項１又は２に記載の暖房システム。
【請求項４】
前記暖房機は、ペレットストーブを含む、請求項１〜３の何れかに記載の暖房システム。
【請求項５】
前記床下空間には、前記仕切り空間内の前記暖気を前記床下空間に吸い込むファンが設けられている、請求項１〜４の何れかに記載の暖房システム。
【請求項６】
前記仕切り空間と、前記床下空間と、前記居室に隣接する非居室空間と、天井空間とを循環する、前記暖気の循環路が形成されている、請求項１〜５の何れかに記載の暖房システム。
【発明の詳細な説明】
【技術分野】
【０００１】
本発明は、暖房システムに関し、特に、暖房機の熱を利用して、同階の室内全体を暖房する暖房システムに関する。
【背景技術】
【０００２】
従来より、室内の暖房装置として、暖房機の排熱を利用して、床下を暖房するものが提案されている。そのような床下暖房装置として、例えば、特開２００９‐２５０５４４号公報（特許文献１）が挙げられる。
【０００３】
特許文献１に記載の床下暖房システムは、暖房機として室内に設置するペレットストーブと、該ペレットストーブの排熱を床下に導入してから室外に排出する排気管と、該排気管の途中に設けられて排熱を床下に放熱する放熱ボックスと、該放熱ボックスから放熱される熱エネルギーを蓄熱するコンクリートベタ基礎と、を備える。
【０００４】
ところで、ペレットストーブは、かんな屑など製材副産物を圧縮成型した木質ペレットを燃料とするストーブのことであり、例えば、寒冷地や別荘等で採用されることが多い。また、ペレットストーブは、間伐材や非化石燃料を用いるため、かつ煙や一酸化炭素が出にくいため、環境負荷が小さく、環境問題の点から、一般の住宅にも注目されている。
【０００５】
係る床下暖房システムでは、ペレットストーブは、間仕切壁の近傍に設置され、排気管は、間仕切壁を貫通してから、床下に導入されるようになっている。床下暖房システムは、放熱ボックスの床下への放熱と、コンクリートベタ基礎の蓄熱とを同時に行うように構成されている。
【０００６】
また、薪ストーブと床下の蓄熱性基礎構造体とを用いた床暖房装置として、例えば、特開２０１０‐１９７０４１号公報（特許文献２）が挙げられる。
【０００７】
特許文献２に記載の床暖房装置は、１台の薪ストーブを戸建て住宅などに配設し、該薪ストーブで温風を生成し、床下の蓄熱性構造体に蓄熱させる低温の輻射放熱暖房と、薪ストーブ本体や煙突からの熱放射とを組み合せて利用する複合暖房システムである。
【０００８】
係る床暖房装置は、居室内に設置された薪ストーブと、室内の床面に面した基礎コンクリートと、基礎コンクリート内に埋設された空気ダクトと、を備える。基礎コンクリートの外周面の立上り部分の内側に、断熱材が配設され、基礎コンクリートの外周面の立ち上げ部の底面の面にも、断熱材が埋設されている。
【０００９】
薪ストーブとは、木を燃料とする輻射放熱暖房器具であり、天然の木以外に木質ペレットなどの加工木質燃料を燃料とする輻射放熱暖房器具も含まれる。
【００１０】
この種の床暖房装置では、薪ストーブに、薪ストーブ温風生成ユニットが取り付けられて、温風が生成される。基礎コンクリート内に埋設した空気ダクトと、薪ストーブに配設した薪ストーブ温風生成ユニットとが、接続される。基礎コンクリート内の空気ダクトには、送風機が接続され、薪ストーブ温風生成ユニット内の空気を床下内に循環させる。居室は、薪ストーブと基礎コンクリートより放熱される熱とにより、暖められる。
【先行技術文献】
【特許文献】
【００１１】
【特許文献１】特開２００９‐２５０５４４号公報
【特許文献２】特開２０１０‐１９７０４１号公報
【発明の概要】
【発明が解決しようとする課題】
【００１２】
特許文献１に記載の床下暖房システムでは、上述のように、ペレットストーブの燃焼時の排気管からの排熱の一部を、床下のコンクリートスラブに蓄積し、排熱の残りの部分を排出管から室外に排出するようになっている。
【００１３】
また、特許文献２に記載の床暖房装置では、上述のように、基礎コンクリート内の空気ダクトに送風機を接続し、薪ストーブ温風生成ユニット内の空気を床下内に循環させる。居室は、薪ストーブと基礎コンクリートより放熱される熱とにより、暖められるようになっている。
【００１４】
しかしながら、特許文献１に記載の床下暖房システム及び特許文献２に記載の床暖房装置では、ペレットストーブの排気管からの排熱の一部が、床下の暖房に利用されているだけであり、排熱の残りの部分は使用されずに、屋外に排出されている。
【００１５】
そのため、ペレットストーブの排熱利用において、ペレットストーブの排気管からの排熱の残りの部分を床下の暖房に利用することが考えられるが、例えば、住宅のＬＤＫのような居室を対象とした主暖房としては、排気管からの排熱だけでは、熱量が不足する、という問題があった。
【００１６】
また、既存の排気管から熱を回収するためには、排気管を床下に施工する必要があり、構造が複雑である。また、排気管の清掃等、通常のペレットストーブの構成よりメンテナンスに手間がかかる、といった問題がある。
【００１７】
そこで、発明者等は、ペレットストーブ等の暖房機の構成を変えることなく、暖房機からの排熱ではなく、暖房機から回収可能な熱量の大半を、床下空間に供給可能なシステムとすることで、例えば、住宅の居室を含む同階の部屋全体を、暖房可能な暖房システムを構築することを検討した。
【００１８】
本発明は、斯かる実情に鑑み、簡単な構成で、暖房機から回収可能な熱量の大半を、床下空間に供給可能であり、住宅の居室を含む同階の部屋全体を、暖房可能な暖房システムを提供することを目的とする。
【課題を解決するための手段】
【００１９】
本発明に係る暖房システムは、居室に配置される開閉可能な仕切り材と、前記居室の外壁と前記仕切り材とで囲まれた仕切り空間に配置された暖房機と、前記仕切り空間の床に開閉可能に設けられ、開状態の際、前記仕切り空間の暖気を床下空間に送り出すための開閉部材と、を備える、ことを特徴とする。
【００２０】
上記構成の暖房システムによれば、居室に配置される開閉可能な仕切り材と、居室の外壁と仕切り材とで囲まれた仕切り空間に配置された暖房機と、仕切り空間の床に開閉可能に設けられ、開状態の際、仕切り空間の暖気を床下空間に送り出すための開閉部材と、を備えるため、仕切り材が開状態の場合、居室が暖房機の暖気によって暖められる。また、仕切り材が閉状態の場合、暖気が仕切り空間に留まるため、仕切り空間が暖気によって優先的に暖められる。そして、仕切り材が閉状態であり、開閉部材が開状態の場合、仕切り空間内の暖気は、開閉部材を介して、床下空間に送られる。その結果、床下空間が暖気によって暖められる。
【００２１】
その結果、暖房機からの暖気で居室を暖房することができるとともに、暖房機からの暖気を、仕切り空間内に一旦蓄熱させることができ、さらに、暖房機からの暖気を、床下空間に供給することができる。これにより、簡単な構成で、暖房機から回収可能な熱量の大半を、床下空間に供給可能であり、例えば、居室に隣接して、洗面室や廊下等が配置されている場合、床下空間内に送られた暖気によって、居室を含む同階の部屋全体を、暖房することができる。
【００２２】
本発明の一態様として、前記仕切り材は、前記居室の室温が第一の温度以下の場合、開状態になるように構成され、前記居室の前記室温が、前記第一の温度より高い第二の温度以上の場合、閉状態になるように構成され、前記開閉部材は、前記仕切り空間の温度が、前記第二の温度より高い第三の温度になった場合、開状態になるように構成されている、のが好ましい。
【００２３】
上記構成の暖房システムによれば、仕切り材は、居室の室温が第一の温度以下の場合、開状態になるように構成され、居室の室温が、第一の温度より高い第二の温度以上の場合、閉状態になるように構成され、開閉部材は、仕切り空間の温度が、第二の温度より高い第三の温度になった場合、開状態になるように構成されているため、居室の室温が第一の温度以下の場合、仕切り材は、開状態になり、居室が暖房機の暖気によって暖められる。
【００２４】
また、居室の室温が、第二の温度以上の場合、仕切り材は、閉状態になり、暖気が仕切り空間に留まるため、仕切り空間が暖気によって優先的に暖められる。そして、仕切り材が閉状態であり、仕切り空間の温度が、第三の温度になった場合、開閉部材は、開状態になり、仕切り空間内の暖気は、開閉部材を介して、床下空間に送られる。その結果、床下空間が暖気によって暖められる。
【００２５】
その結果、暖房機からの暖気で居室を暖房することができるとともに、暖房機からの暖気を、仕切り空間内に一旦蓄熱させることができ、さらに、暖房機からの暖気を、床下空間に供給することができる。これにより、簡単な構成で、暖房機から回収可能な熱量の大半を、床下空間に供給可能であり、例えば、居室に隣接して、洗面室や廊下等が配置されている場合、床下空間内に送られた暖気によって、居室を含む同階の部屋全体を、暖房することができる。
【００２６】
本発明の他態様として、前記仕切り空間は、前記居室の角部に配置されている、のが好ましい。
【００２７】
上記構成の暖房システムによれば、仕切り空間は、居室の角部に配置されているため、居室の角部の外壁に交差するように仕切り材を配置することによって、仕切り材を用いて居室を一辺のみで（直線的に）仕切ることができ、また、角部のデッドスペースを有効に利用することができ、居室の居住空間を狭めることがない。
【００２８】
本発明の他態様として、前記暖房機は、ペレットストーブを含む、のが好ましい。
【００２９】
上記構成の暖房システムによれば、暖房機は、ペレットストーブを含むため、ペレットストーブは、煙や一酸化炭素を発生しにくく、衛生的で、環境負荷を小さくすることができる。
【００３０】
本発明のさらに他の態様として、床下空間には、前記仕切り空間内の前記暖気を前記床下空間に吸い込むファンが設けられている、のが好ましい。
【００３１】
上記構成の暖房システムによれば、床下空間には、仕切り空間内の暖気を床下空間に吸い込むファンが設けられているため、仕切り空間内の暖気は、ファンによって、床下空間内に効率的に吸い込まれることができ、床下空間内をより効率的に暖めることができる。
【００３２】
本発明のさらに別の態様として、前記仕切り空間と、前記床下空間と、前記居室に隣接する非居室空間と、天井空間とを循環する、前記暖気の循環路が形成されている、のが好ましい。
【００３３】
上記構成の暖房システムによれば、仕切り空間と、床下空間と、居室に隣接する非居室空間と、天井空間とを循環する、前記暖気の循環路が形成されているため、暖房機からの暖気を、居室から仕切り空間、床下空間、居室に隣接する非居室空間、及び天井空間に、順に循環させることができ、居室を含む同階の部屋全体を、より効率的に暖房することができる。
【発明の効果】
【００３４】
以上のように、本発明の暖房システムによれば、簡単な構成で、暖房機から回収可能な熱量の大半を、床下空間に供給可能であり、住宅の居室を含む同階の部屋全体を、暖房することができる、といった優れた効果を奏し得る。
【図面の簡単な説明】
【００３５】
【図１】本発明の一実施形態に係る暖房システムを、一般的な住宅に用いた状態を示す平面図である。
【図２】図１の住宅のリビングにおいて、リビングの角部に配置された暖房システムの構成を示す平面図である。
【図３】本発明の一実施形態に係る暖房システムの仕切り材が開閉している状態を示す図であって、（ａ）は、仕切り材が開いている状態を示す図、（ｂ）は、仕切り材が閉じている状態を示す図である。
【図４】本発明の一実施形態に係る暖房システムを用いて、住宅の同階の室内全体を暖房する際のフローチャートを示す図である。
【図５】本発明の一実施形態に係る仕切り材が開状態で、暖気が居室に流れる状態を示す図である。
【図６】本発明の一実施形態に係る仕切り材が閉状態で、暖気が、居室から床下空間、居室に隣接する非居室、天井空間に流れる状態を示す図である。
【発明を実施するための形態】
【００３６】
以下、本発明の一実施形態に係る暖房システムの概略について、添付図面を参照して説明する。
【００３７】
本実施形態に係る暖房システムは、例えば、図１に示すような一般的な住宅に設置されるためのものである。なお、図１においては、説明の便宜上、住宅１００の１階部分のみを示すが、住宅１００は、２階以上を有することができる。
【００３８】
図１に示すように、住宅１００は、例えば、玄関１０と、玄関１０に通じるホール１１と、ホール１１に隣接された和室１２と、和室１２に対向して設けられた台所１３と、玄関１０から台所１３に至る経路の途中に順に設けられた洗面室１４、浴室１５、トイレ１６、階段１７及び階段下収納１８と、台所１３に隣接されて設けられた居室兼食事室としてのリビング１９と、を備える。なお、住宅１００において、玄関１０や、ホール１１、和室１２、台所１３等の配置は、これに限定されるものではなく、適宜変更可能である。
【００３９】
玄関１０は、例えば、玄関スペース１０ａと、扉１０ｂと、を備える。玄関１０の配置及び構成は、適宜変更可能であり、例えば、収納部をさらに設けてもよい。
【００４０】
和室１２には、畳スペース１２ａと、床の間１２ｂと、押入れ１２ｃと、が設けられている。なお、和室１２の配置及び構成は、適宜変更可能である。
【００４１】
台所１３は、例えば、流し台１３ａ（シンク、給水設備、排水設備等）と、作業台１３ｂと、加熱調理器１３ｃと、冷蔵庫１３ｄと、換気設備（図示せず）と、を備える。
【００４２】
洗面室１４には、例えば、扉１４ａと、物入れ１４ｂと、洗面台１４ｃと、鏡（図示せず）と、洗濯機１４ｄ等が設けられている。
【００４３】
浴室１５には、一般的な浴室と同様に、例えば、浴槽１５ａ、洗面台１５ｂ、洗い場１５ｃ、鏡（図示せず）、シャワー（図示せず）、及び洗髪料や洗顔料、石鹸等を置くための台座（図示せず）等が設けられている。
【００４４】
本実施形態では、浴室１５と共通の壁１５ｂを介して、扉１６ａを有するトイレ１６が設けられている。また、トイレ１６と共通の壁１６ｂを介して、階段１７及び階段下収納１８が設けられている。
【００４５】
本実施形態において、リビング１９は、リビングスペース１９ａとダイニングスペース１９ｂと、を備える。リビングスペース１９ａは、例えば、テーブル２０と、ソファー２１と、を備える。ダイニングスペース１９ｂは、例えば、テーブル２２と、椅子２３，２３・・・と、を備える。
【００４６】
また、本実施形態において、リビング１９には、暖房システム３０が設けられている。
【００４７】
図１及び図２に示すように、本実施形態に係る暖房システム３０は、居室としてのリビング１９に配置される開閉可能な仕切り材３１と、居室の外壁Ｗ，Ｗと仕切り材３１とで囲まれた仕切り空間３２に配置された暖房機３３と、仕切り空間３２の床３４に開閉可能に設けられ、開状態の際、仕切り空間３２の暖気Ａを床下空間３５（図５及び図６を参照のこと）に送り出すための開閉部材３６と、を備える。
【００４８】
すなわち、本実施形態において、暖房システム３０は、リビング１９の互いに交差する二つの外壁Ｗ，Ｗと、仕切り材３１と、二つの外壁Ｗ，Ｗ及び仕切り材３１によって囲まれた仕切り空間３２に配置された暖房機３３と、仕切り空間３２の暖気Ａを床下空間３５（図５及び図６を参照のこと）に送り出す開閉部材３６と、によって構成されている。
【００４９】
本実施形態において、仕切り空間３２は、居室（リビング）１９の角部に配置されている。
【００５０】
本実施形態において、仕切り材３１は、二つの外壁Ｗ，Ｗと交差する方向に所定の間隔を開けて配置された第一の部材３１ａと、第一の部材３１ａの前面Ｓをスライド可能に設けられた、第二の部材３１ｂと、を備える。
【００５１】
第一の部材３１ａは、不透明な不燃材料、例えば、レンガ等で形成されている。第二の部材３１ｂは、透明な不燃材料、例えば、耐熱ガラス等で形成されている。このような構成によって、仕切り材３１は、遮熱性と視認性とを兼ねたものとなっている。
【００５２】
仕切り材３１は、第二の部材３１ｂの外壁Ｗ側に、温度感知型の開閉機構３１ｃを有する。本実施形態において、温度感知型の開閉機構３１ｃは、温度センサーを含む。なお、温度感知型の開閉機構３１ｃの制御は、例えば、温度感知型の開閉機構３１ｃに接続された制御部（図示せず）が行っている。
【００５３】
仕切り材３１は、第一の部材３１ａと、第一の部材３１ａとの間に、第二の部材３１ｂが、第一の部材３１ａの前面Ｓをスライド可能に設けられ、温度感知型の開閉機構３１ｃが仕切り空間３２内の温度を感知することによって、第二の部材３１ｂが、第一の部材３１ａに対して、略水平方向に（二つの外壁Ｗ，Ｗに接離するように）開閉可能である。
【００５４】
本実施形態において、暖房機３３は、ペレットストーブを含む。
【００５５】
本実施形態において、仕切り材３１（第二の部材３１ｂ）は、居室（リビング）１９の室温が第一の温度以下の場合、開状態になるように構成され、居室の室温が、第一の温度より高い第二の温度以上の場合、閉状態になるように構成されている。
【００５６】
本実施形態において、仕切り材３１（第二の部材３１ｂ）が開状態になる第一の温度と、仕切り材３１（第二の部材３１ｂ）が閉状態になる第二の温度とは、一定の温度差を有する。
【００５７】
より具体的には、仕切り材３１（第二の部材３１ｂ）は、温度感知型の開閉機構３１ｃが居室（リビング）１９の室温を感知し、居室（リビング）１９の室温が１６℃以下の場合、開状態になるように構成され、居室（リビング）１９の室温が２２℃以上の場合、閉状態になるように構成されている。
【００５８】
図３は、暖房システム３０の仕切り材３１（第二の部材３１ｂ）が開閉している状態を示す図であって、（ａ）は、仕切り材３１（第二の部材３１ｂ）が開いている状態を示す図、（ｂ）は、仕切り材３１（第二の部材３１ｂ）が閉じている状態を示す図である。
【００５９】
仕切り材３１（第二の部材３１ｂ）が開いている状態では、第一の部材３１ａがリビング１９から見えるようになる。仕切り材３１（第二の部材３１ｂ）が閉じている状態では、第一の部材３１ａがリビング１９から見えにくくなっている。
【００６０】
図５及び図６に示すように、本実施形態において、床下空間３５には、仕切り空間３２内の暖気を床下空間３５に吸い込むファン３７が設けられている。ファン３７は、一般的な送風用のファンが使用可能である。なお、ファン３７の制御は、例えば、ファン３７に接続された制御部（図示せず）が行っている。
【００６１】
本実施形態において、開閉部材３６は、例えば、ガラリやルーバー、スリット形状を有する部材、上下に開閉可能な部材、スライド可能に開閉する部材等、適宜選択可能である。
【００６２】
本実施形態において、開閉部材３６は、温度感知型の開閉機構３６ａを有する。本実施形態において、温度感知型の開閉機構３６ａは、温度センサーを含む。なお、温度感知型の開閉機構３６ａの制御は、例えば、温度感知型の開閉機構３６ａに接続された制御部（図示せず）が行っている。
【００６３】
開閉部材３６は、仕切り空間３２の温度が、第二の温度より高い第三の温度になった場合、開状態になるように構成されている。
【００６４】
より具体的には、本実施形態において、開閉部材３６は、温度感知型の開閉機構３６ａが仕切り空間３２内の温度を感知し、仕切り材３１（第二の部材３１ｂ）が閉状態であり、仕切り空間３２の温度が、４５℃以上になった場合、開状態になるように構成されている。
【００６５】
本実施形態において、開閉部材３６は、温度感知型の開閉機構３６ａが仕切り空間３２内の温度を感知し、仕切り空間３２の温度が、４０℃以下になった場合、閉状態になるように構成されている。すなわち、開閉部材３６は、仕切り空間３２の温度が４５℃程度になった場合、開状態になるが、仕切り空間３２の温度が４５℃から下がるにつれて、開閉部材３６は徐々に閉じていき、仕切り空間３２の温度が４０℃以下まで低下した場合に、開閉部材３６は、閉状態になる。
【００６６】
仕切り材３１（第二の部材３１ｂ）が閉状態であり、仕切り空間３２が４５℃以上の場合、開閉部材３６を介して、仕切り空間３２内の暖気が、居室（リビング）１９に隣接した非居室空間３８に供給される。
【００６７】
本実施形態において、仕切り空間３２と、床下空間３５と、居室に隣接する非居室空間３８と、天井空間３９とを循環する、暖気の循環路（図５に示す矢印）が形成されている。
【００６８】
本実施形態に係る暖房システム３０の構成についての説明は以上の通りであり、次に、本実施形態に係る暖房システム３０を用いて、住宅の居室を暖房する作業について、図４を参照して説明する。なお、説明の便宜上、例えば、図５及び図６に示すような、住宅の居室（リビング）１９及び居室に隣接された非居室空間３８に、暖房機３３の熱を循環させることで、居室（リビング）１９及び非居室空間３８を暖房するようにする。
【００６９】
本実施形態においては、ペレットストーブ３３の前面３３ａ側（リビング１９側）に、温度感知型の開閉機構３１ｃを備えた仕切り材３１を設置し、仕切り材３１を開閉させることで、居室（リビング）１９及び居室に隣接された、例えば、洗面室や廊下等の非居室空間３８への暖気の供給を調節する場合について、説明する。
【００７０】
本実施形態においては、暖房機３３として、例えば、ペレットストーブ３３を使用している。また、なお、図５及び図６に示す二点鎖線の領域は、暖気で暖房されている領域を表している。また、図５及び図６において、説明の便宜上、第一の部材３１ａを省略している。
【００７１】
図４及び図５を参照して、まず、ペレットストーブ３３の居室（リビング）１９内外への給排気を行えるように、居室（リビング）１９の角部等の外壁Ｗ，Ｗ側に、ペレットストーブを設置する。ペレットストーブ３３の前面３３ａ側（リビング１９側）に、温度感知型の開閉機構３１ｃを備えた仕切り材３１を設置する。こうすることで、二つの外壁Ｗ，Ｗ及び仕切り材３１によって囲まれた仕切り空間３２に、ペレットストーブ３３が配置されるようになる（図２を参照のこと）。
【００７２】
居室を暖房する場合、居室の室温が１６℃以下になると、温度感知型の開閉機構３１ｃが居室（リビング）１９の室温を感知して、通常の使用方法と同様に、仕切り材３１（第二の部材３１ｂ）を開状態にし、ペレットストーブ３３が設置された居室（リビング）１９を、ペレットストーブ３３によって重点的に暖房する。
【００７３】
次に、図４及び図６を参照して、居室（リビング）１９の室温が２２℃以上になると、温度感知型の開閉機構３１ｃが居室（リビング）１９の室温を感知して、仕切り材３１（第二の部材３１ｂ）を閉状態にし、二つの外壁Ｗ，Ｗ及び仕切り材３１（第二の部材３１ｂ）によって囲まれた仕切り空間３２内が暖められる。
【００７４】
そして、仕切り空間３２の室温が４５℃程度まで上昇すると、開閉部材３６が開き、ファン３７が運転を開始する。そうすると、仕切り空間３２の暖気が、ファン３７によって床下空間３５を通って非居室空間３８まで供給される。
【００７５】
さらに、非居室空間３８に供給された暖気は、天井４０に設けられた開閉部材３６を通って、天井空間３９に送られる。そして、暖かい空気は、天井空間３９に設けられた開閉部材３６を通って、仕切り空間３２の上部に戻り、循環するようになる。このようにして、仕切り空間３２と、床下空間３５と、居室に隣接する非居室空間３８と、天井空間３９とを循環する、暖気の循環路（図５に示す矢印）が形成され、住宅１００の居室（リビング）１９を含む同階の部屋全体を、暖房することができる。
【００７６】
以上のように、本実施形態に係る暖房システム３０によれば、仕切り材３１（第二の部材３１ｂ）が開状態の場合、居室（リビング）１９が暖房機３３の暖気によって暖められる。また、仕切り材が仕切り材３１（第二の部材３１ｂ）閉状態の場合、暖気が仕切り空間３２に留まるため、仕切り空間３２が暖気によって優先的に暖められる。そして、仕切り材３１（第二の部材３１ｂ）が閉状態であり、開閉部材３６が開状態の場合、仕切り空間３２内の暖気は、開閉部材３６を介して、床下空間３５に送られる。その結果、床下空間３５が暖気によって暖められる。
【００７７】
その結果、暖房機３３からの暖気で居室（リビング）１９を暖房することができるとともに、暖房機３３からの暖気を、仕切り空間３２内に一旦蓄熱させることができ、さらに、暖房機か３３らの暖気を、床下空間３５」に供給することができる。これにより、簡単な構成で、暖房機３３から回収可能な熱量の大半を、床下空間３５に供給可能であり、例えば、居室（リビング）１９に隣接して、洗面室や廊下等の非居室が配置されている場合、床下空間３２内に送られた暖気によって、居室（リビング）１９を含む同階の部屋全体を、暖房することができる。
【００７８】
また、居室（リビング）１９の室温が１６℃以下の場合、仕切り材３１は、開状態になり、居室（リビング）１９が暖房機３３の暖気によって暖められる。また、居室（リビング）１９の室温が、２２℃以上の場合、仕切り材３１は、閉状態になり、暖気が仕切り空間３２に留まるため、仕切り空間３２が暖気によって優先的に暖められる。そして、仕切り材３１が閉状態であり、仕切り空間３２の温度が、４５℃程度になった場合、開閉部材３６は、開状態になり、仕切り空間３２内の暖気は、開閉部材３６を介して、床下空間３５に送られる。その結果、床下空間３５が暖気によって暖められる。
【００７９】
その結果、暖房機３３からの暖気で居室（リビング）１９を暖房することができるとともに、暖房機３３からの暖気を、仕切り空間３２内に一旦蓄熱させることができ、さらに、暖房機３３からの暖気を、床下空間３２に供給することができる。これにより、簡単な構成で、暖房機３３から回収可能な熱量の大半を、床下空間３２に供給可能であり、例えば、居室（リビング）１９に隣接して、洗面室や廊下等の非居室が配置されている場合、床下空間３２内に送られた暖気によって、居室（リビング）１９を含む同階の部屋全体を、暖房することができる。
【００８０】
また、居室（リビング）１９の角部の外壁Ｗ，Ｗに交差するように仕切り材３１を配置することによって、仕切り材３１を用いて居室（リビング）１９を一辺のみで（直線的に）仕切ることができ、また、角部のデッドスペースを有効に利用することができ、居室（リビング）１９の居住空間を狭めることがない。
【００８１】
また、ペレットストーブ３３は、煙や一酸化炭素を発生しにくく、衛生的で、環境負荷を小さくすることができる。
【００８２】
また、仕切り空間３２内の暖気は、ファン３７によって、床下空間３２内に効率的に吸い込まれることができ、床下空間３５内をより効率的に暖めることができる。
【００８３】
また、暖房機３３からの暖気を、居室（リビング）１９から仕切り空間３２、床下空間３５、居室（リビング）１９に隣接する非居室空間３８、及び天井空間３９に、順に循環させることができ、居室（リビング）１９を含む同階の部屋全体を、より効率的に暖房することができる。
【００８４】
尚、本発明の暖房システムは、上記実施形態に限定されるものではなく、本発明の要旨を逸脱しない範囲で適宜変更し得ることは勿論のことである。
【００８５】
上記実施形態において、暖房機３３は、ペレットストーブを含むが、これに限定されるものではない。暖房機３３は、環境負荷に配慮しつつ、任意の暖房機を使用可能である。
【００８６】
上記実施形態において、仕切り材３１は、第二の部材３１ｂの外壁Ｗ側に、温度感知型の開閉機構３１ｃを有するが、これに限定されるものではない。仕切り材３１を、手動で開閉を行うようにしてもよい。
【００８７】
上記実施形態において、温度感知型の開閉機構３１ｃは、温度センサーを含むが、これに限定されるものではない。要は、室内の温度を感知して、仕切り材３１を開閉可能にするものであればよい。
【００８８】
上記実施形態において、開閉部材３６は、温度感知型の開閉機構３６ａを有するが、これに限定されるものではない。開閉部材３６を、手動で開閉を行うようにしてもよい。
【００８９】
上記実施形態において、温度感知型の開閉機構３６ａは、温度センサーを含むが、これに限定されるものではない。要は、室内の温度を感知して、開閉部材３６を開閉可能にするものであればよい。
【００９０】
上記実施形態において、居室（リビング）１９の室温が１６℃以下の場合、開状態になるように構成され、居室（リビング）１９の室温が２２℃以上の場合、閉状態になるように構成されているが、これに限定されるものではない。居室（リビング）１９の開状態及び閉状態の室温は、任意の温度に設定可能である。
【００９１】
上記実施形態において、開閉部材３６は、仕切り材３１（第二の部材３１ｂ）が閉状態であり、仕切り空間３２の温度が、４５℃以上になった場合、開状態になるように構成されているが、これに限定されるものではない。仕切り空間３２の開状態の温度は、任意の温度に設定可能である。
【００９２】
上記実施形態において、開閉部材３６は、仕切り空間３２の温度が、４０℃以下になった場合、閉状態になるように構成されているが、これに限定されるものではない。仕切り空間３２の閉状態の温度は、任意の温度に設定可能である。
【産業上の利用可能性】
【００９３】
本発明の暖房システムは、一般的な住宅の居室を含む同階の部屋全体を暖房する際に、有効に適用される。
【符号の説明】
【００９４】
１０  玄関、１０ａ  玄関スペース、１０ｂ  扉、１１  ホール、１２  和室、１２ａ  畳スペース、１２ｂ  床の間、１２ｃ  押入れ、１３  台所、１３ａ  流し台、１３ｂ  作業台、１３ｃ  加熱調理器、１３ｄ  冷蔵庫、１４  洗面室、１４ａ  扉，１４ｂ  物入れ、１４ｃ  洗面台、１４ｄ  洗濯機、１５  浴室、１５ａ  浴槽、１５ｂ  共通の壁、１６  トイレ、１６ａ  扉、１６ｂ  共通の壁、１７  階段、１８  階段下収納、１９  居室（リビング）、１９ａ  リビングスペース、１９ｂ  ダイニングスペース、２０  テーブル、２１  ソファー、２２  テーブル、２３  椅子、３０  暖房システム、３１  仕切り材、３１ａ  第一の部材、３１ｂ  第二の部材、３１ｃ  温度感知型の開閉機構、３２  仕切り空間、３３  暖房機、床  ３４、３５  床下空間、３６  開閉部材、３６ａ  温度感知型の開閉機構、３７  ファン、３８  非居室空間、３９  天井空間、４０  天井、Ａ  暖気、前面Ｓ、外壁Ｗ，Ｗ、１００  住宅。
【図１】
2019002631.tif 000003
【図２】
2019002631.tif 000004
【図３】
2019002631.tif 000005
【図４】
2019002631.tif 000006
【図５】
2019002631.tif 000007
【図６】
2019002631.tif 000008